(57)【要約】【課題】コンパクトディスクのようなディジタル媒体の容器のためのラックを提供すること。【解決手段】ラックが、基部、及び対向した側面を含んでおり、容器を保持するために側面の間に複数のチューブ状部材が設けられる。仕切りは、隣接するチューブ状部材の間に設けられ、また二つの円弧状部材から形作られた取付手段を少なくとも一方の端に有する。二つの円弧状部材は、弾性的支持によって仕切りに支持されて、開いた状態と閉じた状態の位置をとることができるように、仕切りからの支持点の間に回動可能な接続部を有する。【選択図】　　　図１
0003097382.tif 000002
【実用新案登録請求の範囲】
【請求項１】
基部と、前記基部から延びる少なくとも対向した側面とを有する概ね直立したラック、及び；
前記対向した側面に取り付けられて前記対向した側面の間に延在する複数の概ねチューブ状の部材、及び；
前記概ねチューブ状の部材の間で延在するための少なくとも一つの仕切りであって、前記概ねチューブ状の部材への取付のために前記仕切りの対向する端に又は前記端の近傍に取付手段を有する仕切り；を具備しているディジタル媒体容器ラックであって、
前記取付手段の中の少なくとも一つが、ヒンジによって回動可能に相互接続された二つの円弧状部材を含んでいて、円弧状部材の各々の組が、前記回動可能な接続部と前記円弧状部材の反対側の端との中間の前記仕切りから弾性的に支持されている、ディジタル媒体容器ラック。
【請求項２】
複数の概ねチューブ状の支持部材を有するディジタル媒体容器ラック用の仕切りであって：
前記概ねチューブ状の支持部材の間で延在するための少なくとも一つの細長い部材であって、前記概ねチューブ状の支持部材への取り付けのために、前記細長い部材の対向する端に又は前記端の近傍に取り付け手段を有する少なくとも一つの細長い部材；を具備するディジタル媒体容器ラック用の仕切りにおいて、
前記取付手段の中の少なくとも一つが、ヒンジによって回動可能に相互接続された二つの円弧状部材を含んでいて、各々の前記円弧状部材が、前記回動可能な接続部と前記円弧状部材の反対側の端との中間の前記仕切りから弾性的に支持されている、ディジタル媒体容器ラック用の仕切り。
【考案の詳細な説明】
【０００１】
【考案の属する技術分野】
本考案はディジタル媒体容器ラックに関するものであり、特にそのようなラック用の仕切、スペーサ、あるいはサポートに関するものである。
【０００２】
ディジタル媒体容器ラックは、さまざまな形体がある。前記ラックは、コンパクトディスク、ディジタルビデオディスク、ビデオコンパクトディスク、ミニディスク等のための、一般的に標準サイズの相当数の薄い角柱形状のホルダを収容するように通常は構成されている。
【０００３】
【従来の技術】
様々な形状の中で、ラックは、概ね直立したラックであり、ほぼ水平のチューブ状のクロスメンバーを複数有しており、前記クロスメンバーの上にディジタル媒体容器を載せることができる。そこでは、容器の異なる組を分けたり、チューブ状部材それ自身をさらに支えるために、隣接するチューブ状部材の間に仕切りを設ける要求がある。
【０００４】
そのような仕切りを提供する場合の難しさは、それらが、チューブ状部材に沿って容易に可動であること、あるいは更にラックから完全に取外し可能であることを必要とされる一方で、取り付けられたときに、支持のための何らかの形状を提供するために十分に安定してしっかりしていることを必要とされることである。現状の機構は一般的に、定められた位置における固定的な仕切り、あるいはチューブ状部材に取り付けられると不安定で容易に移動してしまう仕切りを提供している。
【０００５】
【考案が解決しようとする課題】
本考案の目的は、従来技術の欠点のいくつかを克服することが可能なそのようなディジタル媒体容器用の仕切りあるいは、そのような仕切りを持ったラックを提供すること、及び比較的容易に取外し可能であるが安定した仕切りを経済的なコストで提供することである。
【０００６】
【課題を解決するための手段】
従って第一態様では、本考案は、ディジタル媒体容器ラックからなると概ね言われ、前記ラックが：
基部と前記基部から延びる少なくとも対向している側面とを有する概ね直立したラック、及び；
前記対向している側面に取り付けられて前記側面の間で延在している複数の概ねチューブ状の部材、及び；
前記概ねチューブ状の部材の間に延在するための少なくとも一つの仕切りであって、前記概ねチューブ状の部材への取付けのために前記仕切りの対向する端に或いは該端の近傍に取り付け手段を有する仕切り；を具備しており、そして前記ラックにおいて、
前記取り付け手段の中の少なくとも一つが、ヒンジによって回動可能に相互接続された二つの円弧状部材を含んでおり、円弧状部材の各々の組が、前記回動可能な接続部と前記円弧状部材の反対側の端との中間の前記仕切りから弾性的に支持されている。
【０００７】
従って、第二態様では、本考案は、概ねチューブ状の支持部材を複数有しているディジタル媒体容器ラック用の仕切りからなると概ね言われ、前記仕切りが：前記概ねチューブ状の部材の間で延在するための少なくとも一つの細長い部材であって、前記概ねチューブ状の部材への取付けのために、前記細長い部材の対向する端に或いは該端の近傍に取り付け手段を有する少なくとも一つの細長い部材；を具備しており、そして前記仕切りにおいて、
前記取付け手段の中の少なくとも一つが、ヒンジによって回動可能に相互接続された二つの円弧状部材を含んでいて、円弧状部材の各々の組が、前記回動可能な接続部と前記円弧状部材の反対側の端との中間の前記仕切りから弾性的に支持されている。
【０００８】
本考案は、以下の添付図を参照しながら好適な実施態様を使って説明される。
【０００９】
【考案の実施の形態】
本考案の特定の好適な実施態様が図１に示されている。この特定のバージョンは、ディジタル媒体容器ラック１を具備しており、前記ディジタル媒体容器ラック１は、ほぼ直立して対向している壁３及び４を支えている図示されたような分離された細い足部分によって形成された基部２を有している。対向している側面若しくは壁３及び４は、図示されたようなほぼ平らで中実な壁、又は例えばスラスト若しくはフレーム等のような構造の形体を具備して、ディジタル媒体容器をラックが収容するための支持ポイントを提供している。
【００１０】
この場合に基部２は、側壁３及び４のそれぞれの基部における台足として提供されているが、概ね直立した壁を支えてラック１の転倒を防ぐことに役立つことが望まれるとき、これら壁自体の下側端部、若しくは脚の形をしたもの、若しくは基部の相互接続によっても同等に提供されることが可能である。
【００１１】
個々のラック５は、対向した側壁の間で延びている概ねチューブ状の相互接続部材６を使って通常は形作られている。中実の棚から形成されるよりも、適切に位置決めされた少数の部材６が、容器を構造物の中で保持するように、ディジタル媒体容器の対向する端面に対して十分な支持を提供することができる。
【００１２】
この好適な実施態様では、上チューブ状部材７、下前チューブ状部材８、及び下後チューブ状部材９である三本のそのようなチューブ状部材６が備えられて、各々の個々のラックを形作っている。これらチューブ状部材の正確な構成は本考案に対して本質的ではなく、そして必要に応じて別の構成が可能であるように事実上チューブ状部材が使用される。この特有の構成は、簡単な取り出しのために容器の上と前に空間を残すようなやり方で容器を保持しようとしている。
【００１３】
図１を参照すると、複数の仕切り部材１０も明らかである。仕切りは、どの隣接するチューブ状部材の間にも延在することが可能であり、通常は図示のように下前チューブ状部材８と上チューブ状部材７との間に延びるために備えられる。
【００１４】
仕切り１０は、各々のラックに配置された宝石箱のような複数のディジタル媒体容器に対する若干の追加的支持を提供しようとする。仕切りは、そのような容器が前進するのを外側で支持して、容器が落ちるのを止めることができ、或いは容器の異なるカテゴリーの間で仕切りとしての機能を果たすことができる。追加の機能として、チューブ状部材が他のそのような部材と相互接続されるという結果からもたらされるチューブ状部材のいくらかの追加的補強を提供することによって、仕切り１０は隣り合うチューブ状部材の間のいくらかの支えを提供することができる。
【００１５】
そのような仕切りの目的が与えられるので、仕切りは、移動が望まれるまで個々に決められた位置から容易に動くことがないように、チューブ状部材にクランプ可能であることが好ましい。そのような移動は、容器がラックから取り出されたり、或いは追加の容器が与えられたりするとき普通に必要とされ、区分的な支持の個々の領域が変化する。
【００１６】
図２を参照すると、仕切り１０は、概ね細長い部材１４を具備していることがわかり、前記細長い部材１４は、チューブ状部材への取付けのための取付け手段１１及び１２を末端に、若しくは末端の近傍に有している。第一取付手段１１は、チューブ状部材に堅く固定されることなしに係合するために、ただの単純なＣ形断面開口を部材の端部に具備するように示されている。仕切り１０が外れることを防ぐための係合の大部分を提供するのは、第二係合手段１２である。
【００１７】
第二取付手段１２は、より実質的な接続を提供しようとしており、チューブ状部材に係合するほぼリング形状の構造体１５として図２に示されている。しかしながら、そのような接続が、チューブ状部材を把持するやり方で好ましく提供されて、仕切りのチューブ状部材に沿った安易な移動を必要とされるまで最小限に抑えるのはもとより、取付手段１１又は１２のどちらかが接続を断つことを可能にすることがある、チューブ状部材に対して横方向の相対移動も防止することが銘記されるべきである。取付手段１２は、必要なときに取外し可能なやり方で提供されてもいる。
【００１８】
図３は、第二の形態における仕切り１０を示している。ここで仕切り１０は、チューブ状部材が取付手段の中に入ることに関する過大寸法１６を提供するようにリング状部材１５が分割されている、開いた取付手段１２を有している。この取付機構は、図４〜６を参照して更に説明される。
【００１９】
図４を参照すると、取付手段１２についての内部支持構造体１８が示されるように、仕切り１０が部分断面で示されている。支持構造体１８は、細長い部材１０の端部近傍のハブ１７の中に収納されている。
【００２０】
図５及び６を参照すると、支持構造体１８及び取付手段１２が、それぞれ第一形態又は閉じた形態、及び第二形態又は開いた形態にあることが見られる。この好適な形における取付手段１２は、二つの円弧状部材２０、２１を具備しており、前記円弧状部材２０、２１は、回動可能な相互接続部２２を有しており、この相互接続部２２は、円弧状部材２０、２１の隣り合った端部に隣接している。円弧状部材２０、２１の末端は接続されていない。図５に示されるように、円弧状部材２０、２１は、回動可能な接続部２２を中心に回転することによって一緒になることが可能で、その結果ほぼリング状の構造体を形作る。円弧状部材の末端が実際に接触する必要はなく、前記末端の間に若干の隙間があってもよい。円弧状部材は、チューブ状部材を中で保持するために、閉じた形態における円弧状部材の末端間の隙間が、円弧状部材が取り付けられるチューブ状部材の幅より小であるように延在していることだけを必要とする。
【００２１】
図５及び６に示されるような支持構造体１８は、弾性支持体を具備しており、前記弾性支持体は、円弧状部材の間の回動可能な接続部と円弧状部材の末端部との中間の位置で円弧状部材の各々に取り付けられている。円弧状部材が、第一形態と第二形態との間で移動するために、支持体の中でいくらかの可撓性を必要とするので、支持体は剛体ではない。
【００２２】
円弧状部材の各々と支持体との間の接続点２３及び２４は、互いに離れるような弾性的運動が可能である。図６に示されるように、回動可能な接続部２２は、図５に示される位置に到達するために、これらの点２３と２４との間を通り過ぎなければならない。この運動は、運動を適応させるために前記接続点の間に追加的空間を必要とする。支持体１８における弾性材料の使用、若しくは接続点２３及び２４の互いからのこの分離に対する別の形のバイアスは、円弧状部材を図５及び６に示される安定した位置で保持するため、及び二つの前記安定した位置の間の運動に抵抗するために、バイアスを利用する。しかしながら、そのようなバイアスは、使用者の解除レバー２５への力の付加によって克服されることが不可能である程大きくはない。円弧状部材の一方に取り付けられたこのレバー２５を単純に押すことが、円弧状部材の回転を引き起こしそして取付手段１２が接続されているチューブ状部材の切離しを引き起こす。
【００２３】
取付手段１２の形をした取付手段が、必要に応じて仕切り１０の両端で使用され得ることが理解されるであろう。しかし、取付手段１１におけるＣ形溝を深くすることは、取付手段１２に隣接した端部も切離されるまでチューブ状部材を切離すことができないことを意味している。
【００２４】
このように、本考案が、ディジタルラックにおける部材間に仕切りを取り付けるための比較的単純であるが効果的な方法を提供することが理解できる。
【００２５】
本考案は、好適な実施態様を参照して説明されてきたが、他の実施態様も、本考案が関係する技術分野に知識を有する者に明らかになることが銘記されるべきである。好適な実施態様のこの説明は、本考案の範囲を限定すると見なされるべきではない。説明において参照された具体的な例示は、公知の均等物を適切な場合には組み入れていると見なされる。
【図面の簡単な説明】
【図１】図１は、本考案の第一の好適な実施態様によるディジタル媒体ラックを示した図である。
【図２】図２は、本考案の第一の好適な実施態様による、第一形態における仕切りの斜視図である。
【図３】図３は、図２の仕切りの第二形態における斜視図である。
【図４】図４は、図３の仕切りの縦断面図である。
【図５】図５は、図４の仕切りの一部の斜視図である。
【図６】図６は、図５の仕切りの一部の第二形態のときの斜視図である。
【符号の説明】
１…ディジタル媒体容器ラック
６…チューブ状部材
１０…仕切り
１１…取付手段
１２…取付手段
１４…細長い部材
２０…円弧状部材
２１…円弧状部材
【図１】
0003097382.tif 000003
【図２】
0003097382.tif 000004
【図３】
0003097382.tif 000005
【図４】
0003097382.tif 000006
【図５】
0003097382.tif 000007
【図６】
0003097382.tif 000008